(57)【特許請求の範囲】
【請求項１】
吸着根を有する植物の登攀補助用支持柱であって、
当該登攀補助用支持柱は、水平断面が略凹形状となる長尺状の軽量な金属材又は樹脂材で形成されており、
その凹空間には、植物の吸着根が付着する付着材が配置され、
前記登攀補助用支持柱は、中空を有する筒体を、その長手方向に沿った切断線から拡げて曲げた形状を有することで、前記略凹形状の数が２以上となり、
前記付着材の表面側に配置する網状体をさらに備え、前記登攀補助用支持柱には、その長手方向に延びる端辺に、前記網状体が係止される係止部が形成され、
前記付着材は、繊維、布、木材、又は樹脂であり、前記網状体により前記凹空間に固定されることを特徴とする植物の登攀補助用支持柱。
【請求項２】
前記登攀補助用支持柱は、互いに離間するように並設されて複数の前記登攀補助用支持柱の集合体を形成することを特徴とする請求項１に記載の植物の登攀補助用支持
柱。
【請求項３】
請求項１又は請求項２に記載の植物の登攀補助用支持柱を用いて、植物を予め登攀成長させる工程と、
植物が登攀成長した前記登攀補助用支持柱を、植物の設置場所に搬送する工程と、
前記登攀補助用支持柱を設置場所に設置する工程と、を含むことを特徴とする植物の設置方法。
【発明の詳細な説明】
【技術分野】
【０００１】
本発明は、建築物や構築物の壁面などに設置される植物の登攀補助用支持柱、及び植物の設置方法に関する。
【背景技術】
【０００２】
近年、建築物や構築物などにおいて、壁面を登攀させ易いつる植物を用いて壁面緑化を行うことが盛んになってきている。この壁面緑化による効果は様々であり、緑に囲まれた空間にすることにより癒しやリラックス効果が生じる以外にも、都市部の気温の上昇を防ぐヒートアイランド対策、夏期には室温の上昇を抑えて冬期には外に温度が逃げるのを防ぐという省エネ対策などの効果が期待されている。
【０００３】
つる植物は、様々な態様で登攀し、例えば、巻き付き登攀型や直接登攀型のタイプが知られている。巻き付き登攀型のつる植物は壁面に直接付着せず、壁にネットなど格子状の補助資材を設置し、これにつる植物を絡ませる方法が一般的に用いられている。具体的には、この巻き付き登攀型のつる植物としては、（１）フジのように、伸長する方向をらせん状に回転しながら支持体に巻きついていくものがあり、この場合、ワイヤ（針金、ロープなど）や竹などが補助具として用いられる。また、（２）ヘチマやゴーヤ、キュウリなどウリ科の植物のように、つる植物の一部から巻きヒゲが出て、針金や支柱などで網状の絡み易い形状のものに絡みついて登攀するものもある。
【０００４】
一方、直接登攀型のつる植物は、吸着根が壁面に直接付着することで登攀する。この場合、壁の前においてつる植物を植栽し、つる植物の登攀力によって壁面を緑化するため、原則として特別な登攀補助具を必要としていない。この種のつる植物としては、ナツヅタや、ヘデラ・カナリエンシスやヘデラ・へリックスなどのヘデラ類などが広く用いられている。
【０００５】
直接登攀型のつる植物を利用する場合、吸着根から「根酸」と呼ばれる有機酸が出るため、建物の壁面の表面を溶かすなどの問題がある。このため、この種のつる植物の登攀補助具としては、コンクリート用壁等に保水性のあるマット状体を添設し、これに登攀させる技術も知られている。
【０００６】
また、直接登攀型のつる植物を所望の方向に登攀させることができ、且つその壁面緑化の施工も非常に容易且つ短期間に行うことができる壁面緑化パネルが開示されている（例えば、特許文献１参照）。さらに、植物伸長路は吸着根型つる植物を囲繞しその進行方向を上方に収束規制する誘導壁により構成されてなる立壁状植栽装置も開示されている（例えば、特許文献２参照）。
【０００７】
また、吸着根を有し生育する植物でも亜熱帯熱帯の植物の場合、つる植物など根を有する地生植物ではなく、土壌に根を下ろさず他の木の上や岩盤などに根を張って生活する着生植物が多く知られている。例えば、洋ランはその大部分が着生植物であり、栽培する場合、ヘゴ板などが用いられている。
【先行技術文献】
【特許文献】
【０００８】
【特許文献１】特開２００７−３０６８６２号公報
【特許文献２】特開２０１０−１６１９９５号公報
【発明の概要】
【発明が解決しようとする課題】
【０００９】
しかしながら、上述した吸着根を有する直接登攀型のつる植物の生育速度は比較的穏やかであるため、壁面を被覆するまでに相当の時間を要する。この結果、従来のつる植物の登攀補助具では、つる植物が存在感ある景観を創出するまでには、相当期間を有するという問題がある。
【００１０】
また、上記従来の直接登攀型のつる植物の登攀補助具は、壁面を劣化させず植物を登攀させることなどを目的としているために、自由なデザイン性が非常に乏しいという問題がある。
【００１１】
さらに、つる植物は、通常、生育範囲（被覆する範囲）を限定できないため、放任すると著しく繁茂して不快な印象を与える。このため、従来の補助具を用いる場合では、つる植物の高い壁面被覆率と付着力を維持するために、つる植物の繁茂しすぎた枝や肥大した大枝を切除する専門知識を持つ者の定期的な剪定作業が必要となるという問題もある。
【００１２】
またさらに、上記従来の登攀補助具では、植物がマットに密着したり、マットの通気性が良すぎて吸着根の発達が阻害されるなどの問題がある。また、建物に密着設置した場合にはつる植物の根が建築物本体にまで及んで建物をいためる虞がある。
【００１３】
また、着生植物の栽培のため、ヘゴ板以外の、施工性や着生植物のレイアウト変更性にも優れた補助具の出現も望まれている。
【００１４】
本発明は、上記課題に鑑みてなされたものであり、吸着根を有するつる植物などの登攀をより効果的に補助するのみではなく、植物の存在感のある景観を、期間を要することなく創出でき、また、自由なデザイン性を有する植物の登攀補助用支持柱を提供することを目的とする。また、この登攀補助用支持柱を用いた植物の設置方法をも提供することをも目的とする。
【課題を解決するための手段】
【００１５】
上記目的を達成するために本発明は、吸着根を有する植物の登攀補助用支持柱であって、当該登攀補助用支持柱は、水平断面が略凹形状となる長尺状の軽量な金属材又は樹脂材で形成されており、その凹空間には、植物の吸着根が付着する付着材が配置され、前記登攀補助用支持柱は、中空を有する筒体を、その長手方向に沿った切断線から拡げて曲げた形状を有することで、前記略凹形状の数が２以上となり、前記付着材の表面側に配置する網状体をさらに備え、前記登攀補助用支持柱には、その長手方向に延びる端辺に、前記網状体が係止される係止部が形成され、前記付着材は、繊維、布、木材、又は樹脂であり、前記網状体により前記凹空間に固定されることを特徴とする。
【００１７】
また、この植物の登攀補助用支持柱において、前記登攀補助用支持柱は、互いに離間するように並設されることが好ましい。
【００１８】
また、上記目的を達成するために本発明は、植物の設置方法であって、上記記載の植物の登攀補助用支持柱を用いて、植物を予め登攀成長させる工程と、植物が登攀成長した前記登攀補助用支持柱を、植物の設置場所に搬送する工程と、前記登攀補助用支持柱を設置場所に設置する工程とを含むことを特徴とする。
【発明の効果】
【００１９】
本発明に係る植物の登攀補助用支持柱は、水平断面が略凹形状となる長尺状の金属材又は樹脂材で形成されており、その凹空間には、植物の吸着根が付着する付着材が配置され、中空を有する筒体をその長手方向に沿った切断線から拡げて曲げたような形状を有する。この構成により、本件発明では、つる植物や着生植物などの登攀をより効果的に補助するのみではなく、植物の存在感のある景観を、期間を要することなく創出でき、また、自由なデザイン性をも実現できる。
【図面の簡単な説明】
【００２０】
【図１】（ａ）本発明の実施の形態１に係る植物の登攀補助用支持柱の斜視図、（ｂ）同上登攀補助用支持柱の水平断面図である。
【図２】同上登攀補助用支持柱の水平断面の一例を示す図である。
【図３】同上登攀補助用支持柱を用いた農家での登攀成長法を説明する図である。
【図４】同上登攀補助用支持柱の根部の状態を説明する図である。
【図５】（ａ）同上登攀補助用支持柱の使用状態の一例を示す外観図、（ｂ）同上登攀補助用支持柱の使用状態の他の一例を示す外観図である。
【図６】同上登攀補助用支持柱の使用状態の一例を示す外観図である。
【図７】（ａ）及び（ｂ）本発明の実施の形態２に係る登攀補助用支持柱の水平断面を示す図である。
【図８】（ａ）及び（ｂ）同上登攀補助用支持柱を示す写真図である。
【図９】（ａ）及び（ｂ）同上登攀補助用支持柱を示す写真図である。
【発明を実施するための形態】
【００２１】
（実施の形態１）
本発明の実施の形態１に係る植物の登攀補助用支持柱について図面を参照して説明する。図１に示す植物の登攀補助用支持柱１（以下、支持柱１と記す）は、立体駐車場などの構築物や建物の壁面に沿って吸着根を有する直接登攀型のつる植物や着生植物を設置するために用いられる。なお、植物を用いた壁面緑化は近年普及が進んでおり、植物による癒し、リラックス効果以外にも、省エネ効果や、ヒートアイランド現象の緩和、紫外線による建築物の劣化を防止する効果が期待されている。
【００２２】
支持柱１を登攀するつる植物は、例えば、ツタ（ナツヅタ）、ヘデラ・へリックスなどのヘデラ類、オオイタビの樹種が一般的に用いられる。例えば、西洋式ヅタ（ヘデラ属）の仲間は水平方向に伸長するときには、ほとんど吸着根は発生しない。また、下垂しながら生育するときも吸着根は一切発生しない。しかしながら、水平方向に伸長している先端部分がコンクリート壁などの壁面や樹木の幹などに突き当たると、その生長点付近は上に向かって伸長する形に変わり、同時に壁面や樹木の表面に張り付くための吸着根を発生させる。そして、吸着根が壁面表面に付着しながら上方に向かって伸長する。
【００２３】
具体的には、支持柱１は、図１（ａ）に示すように、水平断面が略凹形状となる長尺状の金属材又は樹脂材で形成され、例えば２ｍ〜３ｍの高さを有する。支持柱１は、可搬体であり、樹脂材で形成された場合には特に軽量となる。ここで、金属材としては、鉄材、アルミニウム材であり、樹脂材としては、ポリプロピレン板、ＦＲＰ（Fiber Reinforced Plastics：繊維強化プラスチック）、アクリル板などの合成樹脂板である。なお、支持柱１の水平断面の形状は略凹形状としているが、この形状に限定されるものではなく、略半円形状、略半楕円形状など支持柱１が後述の付着材３を収容するための内部空間を有していれば良い。
【００２４】
支持柱１には、その長手方向に沿って伸長し、凸形状を有する複数のリブ２ａ，２ｂが形成されている。これらリブ２ａ，２ｂにより、支持柱１の強度を増すことができる。なお、リブの形状は凸形状に限定されるものではなく凹形状などでも構わない。
【００２５】
支持柱１の内部の凹空間には、図２に示すように、植物の吸着根が付着する付着材３が配置されている。吸着根を有する植物の吸着は、表面の素材によって付着力が大きく異なる。従って、付着材３は、登攀型の植物の吸着根を吸着させるのに適した素材である木板、発泡コンクリート、白砂などの極軽量コンクリート、繊維、木屑、樹脂、及び砂粒の少なくとも１つを用いて構成される。また、これらを支持柱１の内側面に粘設、添設、敷設、吹き付け又は塗布する。この構成により、植物の吸着根が付着材３に対する付着力を維持できる。
【００２６】
図２に示す場合、支持柱１の内部の凹空間には付着材３として繊維が粘設され、この付着材３は固定金具たる網状体４を用いて固定される。支持柱１には、その長手方向に延びる両端辺において鉤形状の係止部１ａが形成されており、付着材３がその反発力で網状体４を押圧することで網状体４が係止部１ａに係止されると共に、付着材３が支持柱１の凹空間に固定される。
【００２７】
このため、支持柱１の付着材３の表面側を植物の茎部が登攀し、その吸着根が付着材３に付着して、植物の登攀が確実に上方に誘導される。このため、支持柱１は、吸着根を有するつる植物などの登攀をより効果的に補助できる。
【００２８】
次に、支持柱１を用いた植物の設置方法に関して図３及び図４を参照して説明する。この設置方法の最初の工程では、図３に示すように、多数の支持柱１を用いてつる植物などを農家などの別の場所にて予め登攀成長させる。次に、植物が登攀成長した支持柱１を、実際の植物の設置場所に搬送する。最後に、支持柱１を設置場所に設置する。従って、この設置方法では、通常の生育速度の穏やかな植物の苗を植え付けて育つ期間を待つ必要がなくなるため、壁面の全面を被覆するまでに相当期間を要することなく、極めて容易に植物の存在感のある景観を創出できる。
【００２９】
なお、図４に示すように、植物の根部は、金属や樹脂などの線材６や網状体を用いて巻き付けられることで支持柱１に結束固定される。また、支持柱１は、植物の根部が植えられる鉢体７を別体又は一体に備える。このように、支持柱１に併せて線材６及び鉢体７を用いることで、植物の根部が動かないように育てることができる。そして、植栽時（搬送時）には根部と周囲の培養土のバランスが崩れて植え痛みが出ないようにして農家の畑で栽培し、所望の長さになるまで養生できる。また、支持柱１の搬送時などでの植え替えによる植え痛みをできるだけ軽減することができる。
【００３０】
次に、支持柱１を立体駐車場に使用した場合について図５（ａ）を用いて説明する。支持柱１の長手方向の一端側には、立体駐車場を構築する建物構造体８に固定するときにネジ部材が貫通される複数のネジ孔（図示せず）が形成されている。支持柱１は、ネジ孔に貫通されるネジ部材を用い、立体駐車場の建物構造体８に、互いに離間するように並設されて集合体となる。また、支持柱１の地面側は通常の建物構造体８に用いる工法で埋め込み固定される。
【００３１】
一般的に、縦横無尽に張り付いて育つつる植物は極めて維持管理しづらく、高い位置にある場合などは手入れが全くできない場合がある。即ち、生育が放任状態となりコントロールできなくなってしまう可能性がある。例えば、ナツヅタの熟成した株の場合、高い壁面被覆率と付着力を維持するためには一年に一回以上、定期的に専門知識を持つものの剪定作業が必要となる。本実施の形態１に係る支持柱１は互いに離間するように並設されるので、支持柱１の横からはみ出すつる植物のみを切り取れば良く、従来と比較して剪定作業を容易化できる。
【００３２】
また、図５（ｂ）に示すように、円柱形状の柱９の外周に、複数の支持柱１を互いに離間するように並設されて集合体となることも考え得る。さらに、図６に示すように、立体駐車場などの景観に併せて自在に支持柱１を設置することで、つる植物を用いた高いデザインを発揮できる。
【００３３】
以上の説明のように、本実施の形態１に係る支持柱１は、水平断面が略凹形状となる長尺状の金属材又は樹脂材で形成されており、その凹空間には、つる植物などの吸着根が付着する付着材３が配置されている。この構成により、吸着根を有する植物の登攀をより効果的に補助するのみではなく、植物の存在感のある景観を、期間を要することなく創出でき、また、自由なデザイン性を有する植物の支持柱１となる。
【００３４】
また、吸着根を有し生育する植物でも亜熱帯熱帯の植物の場合、根を有するつる植物などの地生植物ではなく、土壌に根を下ろさず他の木の上や岩盤などに根を張って生活する着生植物が多くある。支持柱１は、ラン科植物、シダ植物、サトイモ科の植物などの亜熱帯熱帯の植物をも直接植え付け、生育させることができ、且つ施工性や着生植物のレイアウト変更性にも優れている。
【００３５】
また、支持柱１は長尺状であり互いに離間して並設されるため、風圧は受けにくく、建物の壁面に植物が付着することはない。また、支持柱１から大きくはみ出して生育するものを切り取ることで、植物の生育や形状をコントロールできるため、剪定作業を容易化できる。さらに、つる植物などの根から出る「根酸」によって建築物の壁面を損傷することがない。またさらに、支持柱１の後ろ側に空間があるため、風通しを良くすることができ、植物の成長を促すことが出来る。
【００３６】
また、支持柱１の間隔を自在に変更して、各設置場所のニーズに合わせた自由な壁面緑化を実現して高いデザイン性を発揮できる。
【００３７】
（実施の形態２）
本発明の実施の形態２に係る植物の登攀補助用支持柱について、図７〜９を参照して説明する。従来から多く用いられている竹やプラスチックや金属性の丸棒状のものにつる植物を巻き付ける支持柱は、その表面がつるつると滑りやすいために吸着根を有するヘデラ類などには適していない。そこで、本実施の形態２に係る登攀補助用支持柱は、この種の問題を解決するものであり、竹や丸棒と同じように、あくまでつる植物や着生植物などの登攀補助用の支持柱であって、壁面を構成するためのものではない。
【００３８】
本実施の形態２に係る支持柱１０は、図７に示すように、水平断面が略凹形状となる少なくとも１つ以上（本実施の形態２においては２つ）の長尺状の金属材又は樹脂材で形成されている。支持柱１０は、例えばアルミ材の押し出し成形などで形成される。支持柱１０は、中空を有する筒体（例えば図７（ａ）の場合には円筒、図７（ｂ）の場合には角筒）を、その長手方向に沿った切断線から拡げて曲げた形状を有している。なお、支持柱１０における略凹形状の数は２つに限定されるものではなく、設置場所に応じてその数を増やすことができる。
【００３９】
支持柱１０の凹空間には、植物の吸着根が付着する付着材１１が配置され、付着材１１は、繊維、布、木材、又は樹脂のいずれかであり、本実施の形態２においては不織布を用いている。この付着材１１は、例えば、最初に図８に示すように接着剤などを用いて支持柱１０の内面に貼り付けられる。そして、支持柱１０は、図９に示すように、付着材１１の表面側に配置する網状体１２を備える。具体的には、支持柱１０には、その長手方向に延びる端辺に鉤形状の係止部１０ａが形成されており、付着材１１がその反発力で網状体１２を押圧することで網状体１２が係止部１０ａに係止されると共に、付着材１１が支持柱１０の凹空間に固定される。そして、網状体１２に紐などを結んで植物の茎部などを固定して植物の登攀を補助すると共に、支持柱１０の部品点数を抑えることが可能となる。
【００４０】
以上の構成により、本実施の形態２に係る支持柱１０は、比較的小型で軽量となり、可搬で持ち運びが容易であり、無霜地帯などでの植物の栽培に貢献できる。また、支持柱１０は、ラン科植物、シダ植物、サトイモ科の植物など熱帯亜熱帯植物を直接植え付け、生育させることができ、且つ施工性やレイアウト変更性にも優れている。
【００４１】
なお、本発明は、上記実施形態の構成に限られず、発明の趣旨を変更しない範囲で種々の変形が可能である。例えば、支持柱１を壁面にスペーサを介して設置することなども考え得る。
【符号の説明】
【００４２】
１，１０  登攀補助用支持柱
１ａ，１０ａ  係止部
２ａ，２ｂ  リブ
３，１１  付着材
４，１２  網状体
６  線材
７  鉢体
８  建物構造体
９  柱
【図１】
0005960881.tif 000002
【図２】
0005960881.tif 000003
【図３】
0005960881.tif 000004
【図４】
0005960881.tif 000005
【図５】
0005960881.tif 000006
【図６】
0005960881.tif 000007
【図７】
0005960881.tif 000008
【図８】
0005960881.tif 000009
【図９】
0005960881.tif 000010